(57)【要約】【課題】  客の運賃不払いによる乗り逃げを未然に防いだり、乗車料金が客の所持金をオーバーして支払い不能にならないようにする。【解決手段】  前払いを受けてから走り出すようにすべく、前払い精算部（２０）は前払いを受け付けてその金額から、賃走額計算部（２１）で逐次計算した加算額をその都度差し引く処理を行い、追加で前払いがある場合にはその金額を追加する処理を行い、前払いの金額がゼロに近付いたらこれを客に報知して精算を促し、残額返金の処理を行うようにした。【選択図】図２
2017037627.tif 000002
【特許請求の範囲】
【請求項１】
客からの前払いを受ける前払い精算部と、走行距離計測信号と基準時間とから加算額を逐次計算する賃走額計算部とを備え、前記前払い精算部は前払いの金額から前記賃走額計算部で逐次計算した加算額をその都度差し引く処理を行い、追加で前払いがある場合にはその金額を追加する処理を行い、前記賃走額計算部は前払いの金額がゼロに近付いたことを報知する処理を行い、精算時に前記前払い精算部で残額返金の処理を行うようにしたことを特徴とする、タクシーの料金の前払い精算システム。
【請求項２】
前記前払い精算部が客席側に設けられている、請求項１に記載のタクシーの料金の前払い精算システム。
【請求項３】
前記前払い精算部が運転席側に設けられている、請求項１に記載のタクシーの料金の前払い精算システム。
【請求項４】
さらに前記前払い精算部がクレジットカードや電子マネーカードのカードリーダを備えている、請求項１に記載のタクシーの料金の前払い精算システム。
【請求項５】
さらに客席側に、客が入力装置を操作することによって、前記目的地に関する位置情報を設定し得る目的地設定部を備えている、請求項１に記載のタクシーの料金の前払い精算システム。
【請求項６】
前記前払い精算部または前記賃走額計算部または前記目的地設定部のディスプレイでの表示言語を複数言語とした、請求項１乃至請求項５の何れか一に記載のタクシーの料金の前払い精算システム。
【発明の詳細な説明】
【技術分野】
【０００１】  本発明はタクシー料金の精算時に料金不足を生じたり乗り逃げにあったりすることがないようにした、タクシーの料金の前払い精算システムに関する。なお後述する解決手段の中には乗客へのおもてなしを重視したシステムや、運転手襲撃の危険を除去したシステムとなっているものもある。
【背景技術】
【０００２】  タクシーのサービス運営に於いては日々対処しなくてはならない課題が多々生ずるものであるが、その中でも料金精算に纏わる次のような問題に手を焼くことがある。すなわち問題の第一は運賃不払いによる乗り逃げのケースである。また第二は客が指定した目的地に到着した際に乗車料金が客の所持金をオーバーしていて支払い不能（料金不足）になるケースである。このケースでは金を持って戻ると言ったまま客に乗り逃げされてしまうようなことも起こっている。いずれにせよ運転手にとっては誠に厳しい状況であると言うことが出来る。【０００３】  特開２０１４−１０６６４５号の発明によれば、設定時間と走行時間との差が第１閾値以下となった場合、設定距離と走行距離との差が第２閾値以下となった場合、及び設定運賃と現在の運賃との差が第３閾値以下となった場合、のうちの少なくとも１つの場合に、運賃画像を強調表示して表示部１２に出力することで、運賃に関するイベントの発生が近づいている場合に運賃画像が強調表示されるので、運賃に関するイベントの発生が近づいていることを乗客に気付かせることが出来る。また特開２００５−３１６９０９号の発明によれば、料金演算手段におけるタクシー料金の演算過程で用いられる料金アップまでの残り距離信号に基づいてタリフ表示手段を制御して、基本タリフ表示部におけるタリフの表示状態を料金アップのタイミングが近づくにしたがって段階的或いは連続的に反転表示に順次切り替えるようにしたので、料金アップのタイミングをタクシー利用者に知らせることが出来る。なおタリフとは運賃料金表の意味である。
【先行技術文献】
【特許文献】
【０００４】
【特許文献１】  特開２０１４−１０６６４５号公報
【特許文献２】  特開２００５−３１６９０９号公報
【発明の概要】
【発明が解決しようとする課題】
【０００５】  確かに特開２０１４−１０６６４５号の発明も、特開２００５−３１６９０９号の発明も、客に料金アップのタイミングを知らせることが出来るので、客にある種の覚悟を持ってもらうには良い発明であると言える。しかしながら何れの発明も運賃不払いによる乗り逃げの問題や乗車料金が客の所持金をオーバーしていて支払い不能になる問題を解決することが出来ない。客に料金アップのタイミングを知らせるのは良いが、料金アップの直前まで目的地により近い場所まで行きたいとするのが一般的な客の心理であり、このことが結局降車のタイミングを逃して料金アップにつながってしまうのである。【０００６】  本発明は上述したような問題点を解決して、運賃不払いによる乗り逃げを未然に防いだり、乗車料金が客の所持金をオーバーして支払い不能にならないようにすることを課題とする。
【課題を解決するための手段】
【０００７】  そこで本発明では、前払いを受ける前払い精算部と、走行距離計測信号と基準時間とから加算額を逐次計算する賃走額計算部とを備え、前記前払い精算部は前払いの金額から前記賃走額計算部で逐次計算した加算額をその都度差し引く処理を行い、追加で前払いがある場合にはその金額を追加する処理を行い、前記賃走額計算部は前払いの金額がゼロに近付いたことを報知する処理を行って、精算時に前記前払い精算部で残額返金の処理を行うようにしたことを特徴とする。客から受ける前払いの金額は、目的地までの賃走の見込額とほぼ同額またはこれを上回る金額、または客が支払可能な金額と言うことになる。精算は、客が随意これを申し出ることが出来る。あるいは前払いの金額がゼロになる前の前記報知に基づいて行われる場合がある。なお賃走額計算部には従来のタクシーメータを利用する設計も可能である。【０００８】  当発明者は、運賃不払いによる乗り逃げを未然に防いだり乗車料金が客の所持金をオーバーして支払い不能にならないようにしたりするには、前払いを受けてから走り出すようにすれば良いと言う着想を得た。前払い精算部で前払いを受け、賃走額計算部で逐次計算した加算額をその都度前払い金額から差し引き、前払いの金額がゼロに近付いたならばこのことを報知し、ゼロになる前に前払い精算部で残額返金を行うようにして、残金がゼロにならないようにするのである。なお前払い精算部は、追加で前払いがある場合にはそれを受け付けるようにする。前払い金の追加によって残額に余裕を持たせるようにすることが出来る。【０００９】  前払い精算部には現金の投入部を設けるようにすると良いが、更にクレジットカードや電子マネーカードのカードリーダを備えるようにすることで現金を用いることなく前払いし、精算時に運転手側から残金の払い戻しを受けることが出来るようになる。運転手側からと言うのは、直接運転手から残金を受け取るようにする場合もあれば、前払い精算部に現金の払い戻し口を設けておきそこから、運転手を介することなく、残額返金を行うようにする場合もある。なお将来的には、クレジットカードや電子マネーカードで先払いした分から釣りをカードに返金し得るような制度が普及すれば、現金を扱う必要のない完全な電子取引をタクシーのサービスで実現することが可能になる。【００１０】  次にこの発明のタクシーの料金の前払い精算システムでは、前記前払い精算部が運転席側に設けられているものとすることが出来る。運転手は客から現金を受け取りこれを金庫に入れて、受け取り金額をキーボードで打ち込む式の前払い精算部としたり、客から受け取った現金の投入部と投入された金額の読み取り部が設けられた前払い精算部とするなどすれば良い。なお残額返金に付いても同様である。【００１１】  次にこの発明のタクシーの料金の前払い精算システムでは、前記前払い精算部が客席側（後部座席）に設けられているものとすることが出来る。すると客は後部座席に座ると、そこに設けられている前払い精算部で前払いを行うことになる。前払いの金額に付いては客が良いと思う金額と言うことになるが、運転手のアドバイスに基づいて決めるようにしても良い。なお残額返金に関しては、直接運転手から残金を受け��るようにする場合もあれば、客席側の前払い精算部に現金の払い戻し口を設けておきそこから、運転手を介することなく、残額返金を行うようにする場合もある。【００１２】  なお上記前払い精算部で現金の払い戻し口のあるものを客席側に設ける場合では、次のようなメリットが生ずる。すなわち運転手と客とは直接的に金銭の授受を行う必要がなくなっているため、運転席と客席との間を、強化プラスチックなどのバリヤー手段で仕切ることが可能となり、運転手を客等による暴力から護ることが出来る。すなわち防犯効果を有するものとなる。なお運転手と客との対話のためには、バリヤー手段に会話用の通気孔を設けたり、運転席と客席との間を繋ぐインターフォンを設けたりすることが好ましい。このインターフォンを同時通訳型の各国語対応のものにすれば、来日客へのおもてなしとしてより便利で付加価値の高いものとなる。前払い精算部の操作が難しいと言う客がいる場合のように、金銭の授受に運転手を介する必要がある場合には、バリヤー手段に一時には運転席と客席との何れか一側からしか金銭を置いたり取ったりすることが出来ないような、可動式のトレーを設けるなどすれば良い。この辺りは如何様にも設計することが可能である。【００１３】  次にこの発明のタクシーの料金の前払い精算システムでは、更に、前記前払い精算部がクレジットカードや電子マネーカードのカードリーダを備えているものとすることが出来る。この点に付いては上述した通りである。【００１４】  次にこの発明のタクシーの料金の前払い精算システムでは、更に客席側に、客がタッチパネル式や音声認識方式などによる入力装置を操作することによって、住所や経緯度情報などの前記目的地に関する位置情報を設定し得る目的地設定部を備えているものとすることが出来る。客により目的地を入力させることで客の意思をはっきりと運転手に伝えることが可能となり、迷走するような問題を低減させることに繋がる。昨今の地名や建物名が分からない運転手にとっても便利な機能であると言うことが出来る。【００１５】  なお目的地設定部にＧＰＳ連動の地図表示部を備えるようにするとさらに便利である。またこの目的地設定部と運転席側のカーナビゲーションシステムとを連携させた設計とすることが出来る。また多少正確性は欠くものの、目的地設定部によって賃走料金の概算を算出し、これを目安として提示するような構成にしても良い。この他、上記残額表示のためにこの表示部を使用する設計とすることが可能である。【００１６】  さてこれまでに説明したタクシーの料金の前払い精算システムに付いて、前払い精算部または賃走額計算部または目的地設定部のディスプレイでの表示言語を、複数言語とするようにしても良い。ディスプレイでの表示言語を各国語対応にすれば、空港から街中への移動や、ホテルから行楽地への移動などもよりスムーズなものとなり、来日客へのおもてなしの一助となる。なおレシートを出力するものにあっては、その印字言語を各国語対応とするとさらに良い。
【発明の効果】
【００１７】  本発明は、前払いを受けてから走り出すようにすべく、前払いを受け付けてその金額から賃走額計算部で逐次計算した加算額をその都度差し引く処理を行い、追加で前払いがある場合にはその金額を追加する処理を行い、前払いの金額がゼロに近付いたらこれを客に報知して精算を促し残額返金の処理を行う、と言うタクシーの料金の前払い精算システムとしたことにより、運賃不払いによる乗り逃げを未然に防いだり、乗車料金が客の所持金をオーバーして支払い不能にならないようにすることに成功している点で、本発明は実に画期的なものであると言うことが出来る。
【図面の簡単な説明】
【００１８】
【図１】  実施例１のタクシーメータを表した説明図である。
【図２】  実施例１のタクシーの料金の前払い精算システムを表した説明図である。
【図３】  実施例１のの動作を流れ図で表した説明図である。
【図４】  実施例２の客席側端末を表した説明図である。
【図５】  実施例２のタクシーの料金の前払い精算システムを表した説明図である。
【図６】  実施例３の客席側端末を表した説明図である。
【図７】  実施例４のネットワーク構成を表した説明図である。
【発明を実施するための形態】
【実施例１】
【００１９】  本実施例はタクシーメータ１に本発明の前払い精算システムを組んだ例であり、運転手が客から前払い金を受け取り、その金額をテンキー１３を用いて入力することで前払い精算部２０に登録するものである。なお前払い金のカード支払いが可能となるようにカード挿入口１２も設けられている。【００２０】  このタクシーメータ１には、図１で表すように、上面と前面の下部に例えば「賃走」などと表示された電気式スイッチである所の押しボタン１１が設けられている。全面の殆どは表示部１０であり、上述したテンキー１３から入力された前払い金額がその通りに表示される。図１では賃走が始まる前の状態が表示されており、賃走料金は０円であるから、残金は上記入力された前払い金額のままである。またこの表示部１０は後述する報知によって表示の背景色を変えることでアラートを発したと分かり得るように設定されている。また前面の表示部１０の右方には上記テンキー１３の他、電気式スイッチである所の追加ボタン１５、精算ボタン１６及びクリアボタン１４が設けられている。【００２１】  タクシーメータ１の内部構成をブロック図で表したタクシーメータ２は、前払い精算部２０に賃走額計算部２１や、上記表示部１０を司るタクシーメータ表示部２３や、カード挿入口１２からクレジットカードなどを読み込んで決済処理を行う決済端末２２や、テンキー１３やレシートを発行する図示しない印字部の動作を司る入出力部２４が接続されたものである（図２）。なお賃走額計算部２１は、一般的なタクシーメータがそうであるように、距離パルス信号と基準時間とに基づいてタクシー料金を計算する。【００２２】  動作状態の一例を図３の流れ図で表すが、運賃不払いによる乗り逃げを未然に防いだり乗車料金が客の所持金をオーバーして支払い不能にならないようにするのには、前払いを受けてから走り出すようにし、前払い金がゼロになる前に精算して残額の返金を行う、と言うことを実現する。すなわち客から前払い金を現金で受け取ったら、運転手はテンキー１３を用いてその金額を打ち込むと、入出力部２４から前払い精算部２０に前払いの金額が送られて前払い精算部２０に登録されると共に、タクシーメータ表示部２３によりタクシーメータ１の表示部１０に前払金額として表示され、客も運転手もこの金額をいつでも確認することが出来るようになっている。この時は未だタクシーを走らせてはいない。【００２３】  そこで賃走を開始すると、賃走額計算部２１が距離パルス信号と基準時間とに基づいて適時にこれまでの運賃を中段の「賃走」の箇所に表示すると共に上記前払金額から賃走額を減算した金額を「残金」の箇所に表示する。この「残金」は客も運転手もいつでも確認することが出来る。また客はいつでもタクシーから降りることが出来る分けであるから、運転手がタクシーを止めることで賃走額計算部２１は計数とこれに基づく減算処理を終了して、「残金」の箇所に残額を表示する。これによって運転手は残金を客に返し、希望に応じて入出力部２４の印字部を動作させて領収書を発行する。【００２４】  これに対して賃走を終了しないで走らせ続けた場合であるが、前払い精算部２０は常に残額が所定の金額を下回ったかをチェックしており、下回ったらアラートを発生させて、運転手や特に客にこのことを通知するのである。上記所定の金額であるが、本実施例では前払金額の２０パーセントと決めた。アラートが発生したら運転手は運行速度を落とすなりタクシーを停止させるなりすることが好ましい。アラートは上述したように表示部１０の背景色を赤に変色させることにより行う。なお発光色は赤に限られず、黄色などであっても良く、また変色させるのではなく点滅させるように設計しても良い。【００２５】  続いて前払い精算部２０は、「前払金額」に客からの追加的な加算金があり、運転手による上記テンキー１３を用いての前払い金額の追加登録があったか否かをチェックして、追加がない場合には運転手がその旨を客に確認して降車を促し、運転手がタクシーを止めることで賃走額計算部２１は計数とこれに基づく減算処理を終了して、「残金」の箇所に残額を表示する。これに対して追加があった場合には、次に客が降車の意思表示を運転手に行うかアラートが発生するまでは、この流れで行くことになる。【００２６】  なおカード挿入口１２を利用しての前払いであるが、やはり前払い金額の前払い精算部２０への登録は、運転手がテンキー１３を用いて前払い金額を入力することで行う。特にクレジットカードでの支払いでは前払いが売り上げとして計上されるため、現金で返金するのであれば売上調整が必要になる場合もある。しかしながら将来的にクレジットカードや電子マネーカードで先払いした分から釣りをカードに返金し得るような制度が普及すれば、現金を扱う必要のない完全な電子取引をタクシーのサービスで実現することが出来るようになる。またこの場合にテンキー１３は運転手による前払い金額の指定のために用いられ、前払い金額の登録や「前払金額」の表示は前払い精算部２０がこれを引き受けるように設計することが可能である。
【実施例２】
【００２７】  本実施例の前払い精算システム４は、図４及び図５で表すように、タクシーメータ４１の側（運転席側）に前払い精算部４０を設けると共に、客から前払いを受けたり残額返金の処理を行うための客席側端末３を客席側に設けて、両者を配線３００で接続したものである。クレジットカードで先払いした分から釣りをこのクレジットカードに返金し得るような制度が普及している場合に、前払いや追加支払いはクレジットカードを客席側端末３に挿入することで行われ、残金の返金はこのクレジットカードに対して為される。従って運転手は客との間で手渡しなどで直接的に金銭授受を行うことはない。またそうであるから、必要に応じて運転席側と客席側との間を透明な強化プラスチックの隔壁４４を設けるようにすることが可能である。隔壁４４があることによって運転手を客を装った暴漢から護るなどの防犯効果を発揮させることが出来る。運転手と客との対話のためには隔壁４４に会話用の通気孔を設けるなどすれば良い。【００２８】  上記運転席側の構成を図５のブロック図で表すが、タクシーメータ４１とこれに接続された前払い精算部４０や、決済端末４２や、レシートを発行する客席側端末３の図示しない印字部（レシート発行口３９の中にある）の動作を司る入出力部４３とから成る。上述した賃走額計算部はタクシーメータ４１に設けられている。【００２９】  上記客席側端末３は、その大部分を占める表示装置３０と、下側に部品として設けられたアラームライト３５、カード挿入口３６、電気式スイッチである精算ボタン３７、追加ボタン３８を備えている。表示装置３０の図４の状態では、上側の運賃表示画面３１にて上述した料金関係の表示が為され、下側の地図表示画面３２にてＧＰＳマップ表示が為されている。なお表示装置３０は指先で各種操作が行えるようにしたタッチパネルである。また符号３３は地図表示画面３２から図示しないテンキーボード表示画面に切り替えるための画面切替アイコンを指す。このテンキーボードは客が前払いとして支払う金額を指定するためのものである。また符号３４は日本語が不自由な外国人客のために、表示言語を英語、中国語、韓国語、スペイン語、アラビア語と言った諸言語に表示を切り替えるための言語選択アイコンを指す。言語選択アイコン３４で言語が選択されたらその言語に運賃表示画面３１などを表示替えする機能を設けるのである。なお客席側端末３に各国語での音声案内を付けるようにすればなお良い。【００３０】  タクシーに乗り込んで来た客には、先ず客席側端末３のカード挿入口３６にクレジットカードを挿入し、テンキーボードで前払い金額を指定してもらうようにして、前払い精算部４０はクレジットカードを読み込んで決済端末４２で決済処理を行う。この内容は客席側端末３の表示装置３０の上側の運賃表示画面３１に前払金額として表示される。カード挿入口３６にクレジットカードを挿入した際には、地図表示画面３２から図示しないテンキーボードの表示画面に自動的に切り替わるように設計しているが、何らかの理由でテンキーボードが表示されない場合には、客に画面切替アイコン３３をタップしてもらうことで切り替わるようにする。【００３１】  そこで賃走を開始すると、タクシーメ��タ４１に組み込まれている図示しない賃走額計算部が距離パルス信号と基準時間とに基づいて適時にこれまでの運賃を運賃表示画面３１の中段の「賃走」の箇所に表示し、上記前払金額から賃走額を減算した金額を「残金」の箇所に表示する。運転手が客の指示に従ってタクシーを止めると、タクシーメータ４１は計数とこれに基づく減算処理を終了して前払い精算部４０は「残金」の箇所に残額を表示する。客が精算ボタン３７を押すことにより決済端末４２は残金を客のクレジットカードに返し、希望に応じて入出力部４３の印字部を動作させて客席側端末３のレシート発行口３９より領収書を発行する。これに対し賃走を終了しないで走らせ続けた場合であるが、上記前払い精算部４０は常に残額が所定の金額を下回ったかをチェックしており、下回ったら客席側端末３のアラームライト３５を点滅させることによりアラートを発生させて、運転手や特に客にこのことを通知する。そこで客がカード挿入口３６にクレジットカードを挿入してから追加ボタン３８を押すことによって前払い精算部４０は、「前払金額」に客からの追加的な加算金があったとして、次に客が降車の意思表示を運転手に対して行うかアラートが発生するまでは、この流れで行くことになる。
【実施例３】
【００３２】  本実施例の前払い精算システムの、客から前払いを受けたり残額返金の処理を行うための客席側端末５は、図６で表すように、タクシーメータの側に設けられた前払い精算部との間を図示しない配線で接続したものであり、前払いや追加支払いはクレジットカードを客席側端末５に挿入することで行われ、残金の返金は運転手から手渡しなどによって直接的に為されるようにしたものである。なお本実施例でも必要に応じて運転席側と客席側との間を透明な強化プラスチックの隔壁を設けるようにすることが可能であり、隔壁があることにより運転手を客を装った暴漢から護るなどの防犯効果を発揮させることが出来る。この場合、図示しないが、運転手と客との対話のためには隔壁に会話用の通気孔を設けるなどすれば良いし、残金の返金のためには隔壁に、一時には運転席と客席との何れか一側からしか金銭を置いたり取ったりすることが出来ないような、可動式のトレーを設けるなどすれば良い。【００３３】  上記客席側端末５は、その大部分を占める表示装置５０と、下側に部品として設けられたアラームライト５４、カード挿入口５５、電気式スイッチである精算ボタン５６、追加ボタン５７を備えている。表示装置５０の図６の状態では目的地マップの表示画面が表されている。検索窓５１は音声認識が面であり、客席側端末５の裏側にあって図６には表れないマイクに向かって客が目的地の住所を話すことにより検索され、地図が表示されると共に、内蔵するカーナビに目的地が設定されて、表示装置５０にＧＰＳマップ表示が為される。なお符号５２は検索窓５１の画面から図示しない運賃表示画面に切り替えるための画面切替アイコンを指す。また符号５３は日本語が不自由な外国人客のために、表示言語を英語、中国語、韓国語、スペイン語、アラビア語と言った諸言語に表示を切り替えるための言語選択アイコンを指す。この言語選択アイコン５３で言語が選択されたらその言語に運賃表示画面などを表示替えする機能を設けるのである。なお客席側端末５に各国語での音声案内を付けるようにすればなお良い。符号５８はレシート発行口を指す。
【実施例４】
【００３４】  本実施例の前払い精算システムの、客が前払いをしたり、残額を返金してもらうための客所有に係るタブレットコンピュータ７は、図７で表すように、後述アプリケーションをインストールすることによって、路上でタクシーの配車を受ける機能と前払い精算を受ける機能とを獲得したものである。【００３５】  すなわち当該アプリケーションを起動すると、制御部７０と通信部７１と表示部７２と入力部７３とが動作して、通信部７１はインターネットＮを介してサーバコンピュータ６に接続し、ＧＰＳ機能を利用してタクシーの配車を受けると共に、前払い精算システムを利用することを可能にする。また制御部７０は当該タブレットコンピュータ７で客所有のクレジットカードを使用することが出来るようにする。また入力部はタクシーに乗り込んでからサーバコンピュータ６の決済機能を使用して、制御部７０を介して暗証番号の送信や前払い金額の打ち込みを行い得るようにする。表示部７２はタブレットコンピュータ７の表示画面に運賃表示画面を表示する。従って客は自己所有のタブレットコンピュータ７を用いて前払い精算を受けることが出来るようになる。
【産業上の利用可能性】
【００３６】  本発明は、複数の目的地を経由して最後の目的地に至るまでの、それぞれの目的地間の距離や所要時間をある程度正確に推定して運賃を計算し、複数客の乗り合いでの各々の客に付いて、各種カードによる前払いと払い戻しとを可能にすることに道を拓くものとなるであろう。
【符号の説明】
【００３７】１    タクシーメータ      １０  表示部            １１    押しボタン
１２  カード挿入口        １３  テンキー          １４    クリアボタン
１５  追加ボタン          １６  精算ボタン
２    タクシーメータ      ２０  前払い精算部      ２１    賃走額計算部
２２  決済端末            ２３  表示部            ２４    入出力部
３    客席側端末          ３０  表示装置          ３１    運賃表示画面
３２  地図表示画面        ３３  画面切替アイコン  ３４    言語選択アイコン
３５  アラームライト      ３６  カード挿入口      ３７    精算ボタン
３８  追加アイコン        ３９  レシート発行口    ３００  配線
４    前払い精算システム  ４０  前払い精算部      ４１    タクシーメータ
４２  決済端末            ４３  入出力部          ４４    隔壁
５    客席側端末          ５０  表示装置          ５１    検索窓
５２  画面切替アイコン    ５３  言語選択アイコン  ５４    アラームライト
５５  カード挿入口        ５６  精算ボタン        ５７    追加ボタン
５８  レシート発行口
６    サーバコンピュータ
７    タブレット          ７０  制御部            ７１    通信部
７２  表示部              ７３  入力部
【図１】
2017037627.tif 000003
【図２】
2017037627.tif 000004
【図３】
2017037627.tif 000005
【図４】
2017037627.tif 000006
【図５】
2017037627.tif 000007
【図６】
2017037627.tif 000008
【図７】
2017037627.tif 000009